(57)【要約】【課題】間仕切壁に耐火面材を２枚重ねで取付ける場合に、上側耐火面材どうしの継目を少なくできるとともに、上側耐火面材の重量の嵩みを抑えることができ、さらに、上側耐火面材と下側耐火面材との合計の厚みを所定の厚みにでき、下側耐火面材の重量の嵩みを抑えることができると同時に高い耐火性を備えた間仕切壁の耐火構造を提供する。【解決手段】間仕切壁の壁面２１に、方形板状の複数の下側耐火面材（面材）３と、これら面材３によって形成された取付面３０に、少なくとも２枚以上の方形板状の上側耐火面材（面材）４を備え、面材３と面材４とを、面材３どうしの継目と、面材４どうしの継目とが一致しないようにして配置し、面材３どうしの継目と、面材４どうしの継目のうち、少なくともいずれか一方の継目にガラス繊維テープ５を取付け、面材４を、面材３より薄くてかつ面積が大きいものとする。【選択図】図１
2006161405.tif 000002
【特許請求の範囲】
【請求項１】
間仕切壁の壁面に、耐火面材を取付けてなる間仕切壁の耐火構造であって、
前記壁面に、方形板状の複数の下側耐火面材と、これら下側耐火面材によって形成された取付面に取付けられた、少なくとも２枚以上の方形板状の上側耐火面材とを備え、
前記下側耐火面材と前記上側耐火面材とは、互いに隣り合う前記下側耐火面材どうしの継目と、互い隣り合う前記上側耐火面材どうしの継目とが一致しないようにして、配置されており、
互いに隣り合う前記下側耐火面材どうしの継目と、互いに隣り合う前記上側耐火面材どうしの継目のうち、少なくともいずれか一方の継目に耐火性を有する目地処理材が取付けられ、
前記上側耐火面材は、前記下側耐火面材より薄くてかつ面積が大きいことを特徴とする間仕切壁の耐火構造。
【請求項２】
請求項1に記載の間仕切壁の耐火構造において、
前記目地処理材が、ガラス繊維テープであることを特徴とする間仕切壁の耐火構造。
【請求項３】
請求項１または２に記載の間仕切壁の耐火構造において、
前記下側耐火面材と前記上側耐火面材のうち、一方は横長の方形板状をなし、他方は縦長の方形板状をなしており、
これら下側耐火面材と上側耐火面材とは、それらの長辺どうしが直交するようにして、配置されていることを特徴とする間仕切壁の耐火構造。
【請求項４】
請求項３に記載の間仕切壁の耐火構造において、
前記下側耐火面材は横長の方形板状をなし、前記上側耐火面材は縦長の方形板状をなしており、
前記下側耐火面材の長辺の長さと、前記上側耐火面材の短辺の長さとは、それぞれ基準寸法の整数倍となっていることを特徴とする間仕切壁の耐火構造。
【請求項５】
請求項４に記載の間仕切壁の耐火構造において、
前記下側耐火面材は、短辺どうしの継目が、縦方向に連続しないようにして配置されていることを特徴とする間仕切壁の耐火構造。
【請求項６】
請求項１〜５の何れか一項に記載の間仕切壁の耐火構造において、
前記下側耐火面材と、前記上側体火面材とが、無機系接着剤によって接着され、
接着された下側耐火面材と上側体火面材とが、ステープルによって前記壁面に固定されることを特徴とする間仕切壁の耐火構造。
【発明の詳細な説明】
【技術分野】
【０００１】
本発明は、住宅などの建物の外壁面に石膏ボードなどの耐火面材を取付けてなる間仕切壁の耐火構造に関する。
【背景技術】
【０００２】
住宅などの建物の壁面には、通常石膏ボードなどからなる耐火面材が取付けられており、耐火性をさらに向上させるために、耐火面材を二重に取付ける場合がある。この技術の一例について、例えば、特許文献１に記載されている。
すなわち、この特許文献１に記載の技術では、間仕切壁が、上部ランナと下部ランナとの間に一定間隔で配置された複数の柱状のスタッドと、スタッドの両側にそれぞれ取付けられた二枚重ねの石膏ボード（耐火面材）とから概略構成されている。二枚重ねのうち、下側の石膏ボードはタッピングネジなどを用いてスタッドに取付けられており、上側の石膏ボードは下側の石膏ボードにステープルなどを用いて取付けられている。なお、下側の石膏ボードおよび上側の石膏ボードともその厚みは等しく、１５ｍｍ程度ある。
【特許文献１】特開２００１−１９３１８２号公報（第５頁、第１図）
【発明の開示】
【発明が解決しようとする課題】
【０００３】
ところで、上述したように、壁面の石膏ボードなどの耐火面材を二枚重ねで取付ける場合、上側耐火面材の継目はなるべく少ない方が望ましい。それは、防火性能上、継目がなるべく少ない方が、防火上の欠点が少なくなり有効となるからである。また、上側耐火面材の表面には、最終的にクロスを貼り付けるため、耐火面材どうしの継目においては、クロスに継目に沿った筋などが入り易く、この筋などが入らないようにクロスを貼り付けるのに手間がかかるばかりか、継目に沿って切れる場合もあり、その補修に手間がかかるからでもある。
上側耐火面材どうしの継目をなるべく少なくするには、上側耐火面材を大きくすればよいが、大きくすると上側耐火面材の重量が嵩み、取り扱い難くなる。
一方、上側耐火面材の重量が嵩まないように薄くすると、この上側耐火面材と下側耐火面材との合計の厚みが薄くなり、耐火性能が低下する。
そこで、下側耐火面材の厚みを厚くすれば、上側耐火面材と下側耐火面材との合計の厚みを所定の厚みにすることができるが、下側耐火面材の重量が嵩んでしまい、取り扱い難くなる。
また、複数枚の下側耐火面材および上側耐火面材からなる構成であって、継目が形成されていることによって、該継目からの火炎の進入が懸念され、その分の耐火性能を下側耐火面材の厚みで補う必要があった。
【０００４】
本発明は上記事情に鑑みてなされたもので、壁面に耐火面材を２枚重ねで取付ける場合に、上側耐火面材どうしの継目を少なくできるとともに、上側耐火面材の重量の嵩みを抑えることができ、さらに、上側耐火面材と下側耐火面材との合計の厚みを所定の厚みにでき、下側耐火面材の重量の嵩みを抑えることができると同時に高い耐火性を備えた間仕切壁の耐火構造を提供することを目的としている。
【課題を解決するための手段】
【０００５】
以上の課題を解決すべく、請求項１に記載の発明は、間仕切壁（例えば、間仕切壁１）の壁面（例えば、合板２１）に、耐火面材を取付けてなる間仕切壁の耐火構造であって、前記壁面２１に、方形板状の複数の下側耐火面材（例えば、下側耐火面材３）と、これら下側耐火面材３によって形成された取付面（例えば、取付面３０）に取付けられた、少なくとも２枚以上の方形板状の上側耐火面材（例えば、上側耐火面材４）とを備え、前記下側耐火面材３と前記上側耐火面材４とは、互いに隣り合う前記下側耐火面材３どうしの継目（例えば、継目Ｔ１、Ｔ２）と、互い隣り合う前記上側耐火面材４どうしの継目（例えば、Ｔ３）とが一致しないようにして、配置されており、互いに隣り合う前記下側耐火面材３どうしの継目と、互いに隣り合う前記上側耐火面材４どうしの継目のうち、少なくともいずれか一方の継目に耐火性を有する目地処理材が取付けられ、前記上側耐火面材３は、前記下側耐火面材４より薄くてかつ面積が大きいことを特徴とする。
ここで、間仕切壁１に耐火面材を２重貼りして取付ける場合、所定の耐火性能を得るために、２枚の耐火面材を所定の厚さにする必要があるが、請求項１に記載の発明では、上側耐火面材４を薄くした分、下側耐火面材３を厚くすることによって所定の厚さを確保すればよい。
【０００６】
請求項２に記載の発明は、請求項1に記載の間仕切壁１の耐火構造において、前記目地処理材が、ガラス繊維テープ（例えば、ガラス繊維テープ５）であることを特徴とする。
【０００７】
請求項３に記載の発明は、請求項１または２に記載の間仕切壁１の耐火構造において、前記下側耐火面材３と前記上側耐火面材４のうち、一方は横長の方形板状をなし、他方は縦長の方形板状をなしており、これら下側耐火面材３と上側耐火面材４とは、それらの長辺どうしが直交するようにして、配置されていることを特徴とする。
【０００８】
請求項４に記載の発明は、請求項３に記載の間仕切壁１の耐火構造において、前記下側耐火面材３は横長の方形板状をなし、前記上側耐火面材４は縦長の方形板状をなしており、前記下側耐火面材３の長辺の長さと、前記上側耐火面材４の短辺の長さとは、それぞれ基準寸法の整数倍となっていることを特徴とする。
【０００９】
請求項５に記載の発明は、請求項４に記載の間仕切壁１の耐火構造において、前記下側耐火面材３は、短辺どうしの継目Ｔ１が、縦方向に連続しないようにして配置されていることを特徴とする。
【００１０】
請求項６に記載の発明は、請求項１〜５の何れか一項に記載の間仕切壁１の耐火構造において、前記下側耐火面材３と、前記上側体火面材４とが、無機系接着剤によって接着され、接着された下側耐火面材３と上側体火面材４とが、ステープル（例えば、ステープル７）によって前記壁面２１に固定されることを特徴とする。
【００１１】
ここで、基準寸法は、建築のあらゆる部分を一定の大きさの倍数関係に整えようとするときの基準となる寸法に設定するのが望ましい。この場合、基準寸法としては、例えば９１０ｍｍ、４５５ｍｍ、１０００ｍｍ、５００ｍｍ等が採用される。
【発明の効果】
【００１２】
請求項１に記載の発明によれば、上側耐火面材４は、下側耐火面材３より薄くて且つ面積が大きいので、上側耐火面材４どうしの継目を少なくできるとともに、上側耐火面材４の重量の嵩みを抑えることができる。また、上側耐火面材４を薄くした分、下側耐火面材３を厚くしたとしても、上側耐火面材４と下側耐火面材３との合計の厚みを所定の厚みにできる。さらに、下側耐火面材３は上側耐火面材４よりも面積が小さいので、個々の下側耐火面材３の重量の嵩みを抑えることができる。
そして、互いに隣り合う下側耐火面材３どうしの継目Ｔ１、Ｔ２と、互いに隣り合う上側耐火面材４どうしの継目Ｔ３とが一致しないので、上側耐火面材４どうしの継目Ｔ３は下側耐火面材３上に位置しており、これによって、隣り合う上側耐火面材４どうしの継目Ｔ３近傍において段差が生じ難くなる。よって、これら上側耐火面材４上にクロスを貼り付ける際に、継目Ｔ３に沿ってクロスに傷や突条が生じたり、クロスが切れるといった不具合を解消することができる。
さらに、隣り合う下側耐火面材３どうしの継目Ｔ１、Ｔ２、隣り合う上側耐火面材４どうしの継目Ｔ３のうち、少なくとも何れか一方に耐火性を有する目地処理材が取付けられることによって、より耐火性を向上させることができ、下側耐火面材３と上側耐火面材４のいずれの継目にも取付けられる場合には、特に高い耐火性を実現することができる。
【００１３】
請求項２に記載の発明によれば、耐火性を備えた目地処理材として、ガラス繊維テープ５が用いられることとなる。これにより、請求項１に記載の発明の効果が得られるのは無論のこと、特に、手間をかけることなく、簡便に間仕切壁の耐火性を向上させることができる。
【００１４】
請求項３に記載の発明によれば、下側耐火面材３と上側耐火面材４とは、それらの長辺どうしが直交しているので、下側耐火面材３どうしの継目Ｔ２と上側耐火面材４どうしの継目Ｔ３とが同じ方向を向かずに直交することとなり、継目が重なっている場合に問題となる強度低下を防ぐことができる。
【００１５】
請求項４に記載の発明によれば、横方向に継目Ｔ１を介して配置された下側耐火面材３の総延長が、基準寸法の整数倍となり、横方向に継目Ｔ３を介して配置された上側耐火面材４の総延長が基準寸法の整数倍となるので、これら下側耐火面材３と上側耐火面材４とを取付ける壁面の横方向の長さを基準寸法の整数倍に設定することによって、下側耐火面材３と上側耐火面材４とをそれぞれ隙間無く壁面に横方向に割り付けることができる。
【００１６】
請求項５に記載の発明によれば、下側耐火面材３の短辺どうしの継目Ｔ１が、縦方向に連続していないので、これら下側耐火面材３によって形成された取付面３０は、継目が縦方向に連続している場合に比較して、全体的に平坦となる。従って、この取付面３０に取付けられた上側耐火面材４どうしには継目Ｔ３近傍で段差が生じ難くなる。よって、これら上側耐火面材４上にクロスを貼り付ける際に、継目Ｔ３に沿ってクロスに傷や突条が生じたり、クロスが切れるといった不具合を解消できる。
【００１７】
請求項６に記載の発明によれば、下側耐火面材３と上側耐火面材４とが、無機系接着剤およびステープル７によって壁面２１に取付けられることとなる。これにより、請求項１〜５の何れか一項に記載の発明の効果が得られるのは無論のこと、特に、耐火面材に釘などを打ち込む必要がなくなるため、耐火面材の耐久性を向上させることができる。
【発明を実施するための最良の形態】
【００１８】
以下、図面を参照して本発明の実施の形態について説明する。
図１は、本発明に係る間仕切壁１の耐火構造の断面図であって、図２は、間仕切壁１の概略構成図である。図３〜図５は、間仕切壁１の耐火構造の正面図であって、図６は、間仕切壁１の耐火構造の概略構成図である。図７は、図１に示した間仕切壁１の耐火構造の他の固定手段における断面図である。
【００１９】
まず、本発明に係る間仕切壁１の構成について、図１および図２を参照して説明する。本実施の形態では、間仕切壁１は、例えば、框材２０ａを矩形枠状に組み、この矩形枠の内部に補強桟材２０ｂを組み付けてなる枠体２０と、枠体２０の両側面に取付けられた壁面としての合板２１、などによって構成される間仕切りパネル２、などを備えてなる。
ここで、本実施の形態の、壁面に耐火面材を取付けてなる間仕切壁１の耐火構造では、複数の間仕切りパネル２を横方向に接合することによって形成された間仕切壁１の壁面に、下側耐火面材３と上側耐火面材４とを取付ける場合を例に挙げて説明する。
【００２０】
尚、間仕切りパネル２の幅寸法、つまり横方向の長さは、基準寸法を例えば９１０ｍｍとし、これを１Ｍ（モデュール）とすると、例えば１Ｍに設定されている。そして、幅寸法が１Ｍの間仕切りパネル２０を複数接合することによって、１Ｍの整数倍の幅寸法を有する間仕切壁１が形成される。
【００２１】
合板２１は、例えば、図２に示すように、幅が約１Ｍ（モデュール）の方形板状の木質複合接着パネルであって、矩形枠状に組み立てられた間仕切りパネル２０の框材２０ａの形状と略同一の形状をなす。
【００２２】
以上に説明したように形成される、１Ｍの整数倍の幅寸法を備える間仕切壁１に、下側耐火面材３と上側耐火面材４などが取付けられる。具体的には、壁面としての合板２１に、方形板状の複数の下側耐火面材３と、これら下側耐火面材３によって形成された取付面３０に、少なくとも２枚以上の方形板状の上側耐火面材４、などが取付けられる。
【００２３】
下側耐火面材３は、例えば、図３に示すように、横長の方形板状をなすものであり、強化石膏ボードによって形成されている。また、下側耐火面材３の横方向の長さ、つまり長辺の長さは、２M（モデュール）に設定され、例えば、厚みは２１ｍｍ程度に設定されている。
【００２４】
上側耐火面材４は、例えば、図４に示すように、縦長の方形板状をなすものであり、強化石膏ボードによって形成されている。また、上側耐火面材４の横方向の長さ、つまり短辺の長さは、１Ｍ（モデュール）に設定され、例えば、厚みは１５ｍｍに設定されている。
ここで、下側耐火面材３の縦方向の長さ、つまり短辺の長さをＬとすると、上側耐火面材４の縦方向の長さ、つまり長辺の長さは５Ｌに設定されている。このように、上側耐火面材４は下側耐火面材３より薄くてかつ面積が大きいものとなっている。
【００２５】
上記のような下側耐火面材３と上側耐火面材４とは以下のようにして間仕切壁１の壁面である合板２１に配置され、取付けられている。
即ち、図１、図５および図６に示すように、間仕切壁１の壁面には、多数の下側耐火面材３が、例えば釘３１などの好適な固定手段によって取付けられている。下側耐火面材３は、高さ方向（縦方向；図において上下方向）に５段設置されており、幅方向（横方向；図において左右方向）には所定枚数、つまり、壁面の横方向の長さに対応した枚数だけ配置されている。また、間仕切壁１の高さは５Ｌに設定されており、よって短辺の長さがＬの下側耐火面材３は縦方向に５段配置することによって間仕切壁１の壁面の上端から下端までに隙間無く納まっている。
また、縦方向に隣り合う下側耐火面材３どうしは、一方の下側耐火面材３の端が、他方の下側耐火面材３の中央に位置するようにして配置されている。これによって横方向（図において左右方向）に隣り合う下側耐火面材３の短辺どうしの継目Ｔ１は縦方向には連続せず、千鳥状に配置されている。また、縦方向に隣り合う下側耐火面材３どうしの継目Ｔ２は横方向に連続している。
【００２６】
多数の下側耐火面材３によって形成された取付け面３０には、多数の上側耐火面材４が、例えば釘４１などの好適な固定手段によって取付けられている。上側耐火面材４は、図４に示すように、長辺の長さが５Ｌであり、壁面の高さが５Ｌであるので、縦方向（図において上下方向）には１枚だけ配置されており、横方向（図において左右方向）には所定枚数、つまり壁面の横方向の長さに対応した枚数だけ配置されている。また、図５に示すように、下側耐火面材３と上側耐火面材４とは、それらの長辺どうしが直交するようにして配置されている。
さらに、図５に示すように、横方向（図において左右方向）に隣り合う上側耐火面材４どうしの継目Ｔ３は、下側耐火面材３どうしの継目Ｔ１と位置が一致しないようにして配置されている。つまり、継目Ｔ３は、継目Ｔ１から距離ｓだけ横方向にずれた位置に配置されている。この距離ｓは、下側耐火面材３の長辺の長さの１／４の長さ、つまり０．５Ｍ（モデュール）に設定されている。
このように、下側耐火面材３と上側耐火面材４とは、互いに隣り合う下側耐火面材３どうしの継目Ｔ１、Ｔ２と、互いに隣り合う上側耐火面材４どうしの継目Ｔ３とが一致しないようにして配置されている。
【００２７】
また、下側耐火面材３の長辺の長さと、上側耐火面材４の短辺の長さとは、それぞれ基準寸法の整数倍となっている。具体的には、基準寸法としての１Ｍ（モデュール）の整数倍の幅寸法を有する間仕切壁１の壁面に、横方向の長さが２Ｍの下側耐火面材３を横方向に継目Ｔ１を介して配置したので、下側耐火面材３の総延長を、基準寸法の整数倍、つまり壁面の横方向の長さに等しくでき、また、横方向の長さが１Ｍの上側耐火面材４を横方向に継目Ｔ３を介して配置したので、上側耐火面材４の総延長を、基準寸法の整数倍、つまり壁面の横方向の長さに等しくできる。したがって、下側耐火面材３と上側耐火面材４とをそれぞれ隙間無く壁面に横方向に割り付けることができる。なお、壁面に取付けた下側耐火面材３のうち、壁面の端に位置するものは、その端に併せて適宜切断すればよい。
【００２８】
下側耐火面材３および上側耐火面材４の間仕切壁１への取付けは、図１に示すように、下側耐火面材３を釘打ちなどによって合板２１に固定し、さらにその上面から上側耐火面材４を釘打ちなどによって固定することにより行っているが、固定方法はこれに限られることはなく、適宜好適な方法を用いることができる。
他の固定方法として、例えば、図７に示すように、下側耐火面材３と、上側耐火面材４とを、取付面３０を介して、シアノアクリレート系、ポリサルファイド系、シリコーン系などの無機系接着剤（図示省略）を用いて接着固定し、該接着固定された下側耐火面材３と上側耐火面材４とをステープル７によって間仕切りパネル２に固定する方法などが挙げられる。
【００２９】
以上に説明したように配置される下側耐火面材３と上側耐火面材４の継目に、耐火性を有する目地処理材として、ガラス繊維テープ５が取付けられ、該ガラス繊維テープの上方にパテ６が設けられる。具体的には、互いに隣り合う下側耐火面材３どうしの継目Ｔ１、Ｔ２と、互いに隣り合う上側耐火面材４どうしの継目Ｔ３の、少なくとも何れか一方の継目に、ガラス繊維テープ５が装着されてなる。本実施の形態においては、例えば、図５に示すように、下側耐火面材３の継目Ｔ２および上側耐火面材４の継目Ｔ３に装着される。具体的には、継目Ｔ２およびＴ３に沿って、各継目を完全に覆い隠すようにガラス繊維テープ５が取付られ、さらにその上面に、ガラス繊維テープ５の全面を覆うようにエポキシ樹脂などの含浸透性を有するパテ６が塗布される。このパテ６の硬化により、継目Ｔ２およびＴ３の隙間が塞がれる。
【００３０】
尚、ガラス繊維テープ５を設ける方法としては上記に限られるものではなく、例えば、全ての継目が覆われていなくてもよく、下側耐火面材３の継目Ｔ２と上側耐火面材４の継目Ｔ３とが交差する箇所のみ取付けることとしてもよいし、これら以外にも適宜可能な方法で設けることができる。
【００３１】
以上に説明した間仕切壁１の耐火構造によると、上側耐火面材４は、下側耐火面材３より薄くて且つ面積が大きいので、上側耐火面材４どうしの継目を少なくできるとともに、上側耐火面材４の重量の嵩みを抑えることができる。また、上側耐火面材４を薄くした分、下側耐火面材３を厚くしたとしても、上側耐火面材４と下側耐火面材３との合計の厚みを所定の厚みにできる。さらに、下側耐火面材３は上側耐火面材４よりも面積が小さいので、個々の下側耐火面材３の重量の嵩みを抑えることができる。
【００３２】
互いに隣り合う下側耐火面材３どうしの継目Ｔ１、Ｔ２と、互いに隣り合う上側耐火面材４どうしの継目Ｔ３とが一致しないので、上側耐火面材４どうしの継目Ｔ３は下側耐火面材３上に位置しており、これによって、隣り合う上側耐火面材４どうしの継目Ｔ３近傍において段差が生じ難くなる。よって、これら上側耐火面材４上にクロスを貼り付ける際に、継目Ｔ３に沿ってクロスに傷や突条が生じたり、クロスが切れるといった不具合を解消することができる。
【００３３】
下側耐火面材３と上側耐火面材４とは、それらの長辺どうしが直交しているので、下側耐火面材３どうしの継目Ｔ２と上側耐火面材４どうしの継目Ｔ３とが同じ方向を向かずに直交することとなり、継目が重なっている場合に問題となる強度低下を防ぐことができる。
【００３４】
継目Ｔ１を介して配置された下側耐火面材３の長辺の長さの総延長が、基準寸法の整数倍となり、継目Ｔ３を介して配置された上側耐火面材４の短辺の長さの総延長が、基準寸法の整数倍となるので、これら下側耐火面材３と上側耐火面材４を取付ける間仕切壁１の一辺の長さを、基準寸法の整数倍に設定することによって、下側耐火面材３と上側耐火面材４とをそれぞれ隙間無く間仕切壁１の一辺方向に割り付けることができる。
【００３５】
隣り合う下側耐火面材３どうしの継目Ｔ１、Ｔ２、もしくは隣り合う上側耐火面材４どうしの継目Ｔ３にガラス繊維テープ５が取付けられることによって、簡便に、耐火性を向上することができ、下側耐火面材３と上側耐火面材４のいずれの継目にも装着される場合には、特に高い耐火性を実現することができる。
【００３６】
下側耐火面材３の短辺どうしの継目Ｔ１が、縦方向に連続していないので、これら下側耐火面材３によって形成された取付面３０は、継目が縦方向に連続している場合に比較して、全体的に平坦となる。従って、この取付面３０に取付けられた上側耐火面材４どうしには継目Ｔ３近傍で段差が生じ難くなる。よって、これら上側耐火面材４上にクロスを貼り付ける際に、継目Ｔ３に沿ってクロスに傷や突条が生じたり、クロスが切れるといった不具合を解消できる。
【００３７】
尚、本発明は、上記実施の形態に限定されるものではなく、その要旨を逸脱しない範囲で適宜変更可能である。
例えば、本実施の形態では、図５に示すようにして、下側耐火面材３と上側耐火面材４とを配置することによって、互いに隣り合う下側耐火面材３どうしの継目Ｔ１と、互いに隣り合う上側耐火面材４どうしの継目Ｔ３とが一致しないようにしたが、下側耐火面材３と上側耐火面材４の配置は、図５に限られるものではなく、例えば、下側耐火面材３や上側耐火面材４を図５に示す位置より若干左右にずらして配置してもよい。要は、継目Ｔ１とＴ３とが一致しないようにして、下側耐火面材３と上側耐火面材４とを配置すれば足りる。
隣り合う下側耐火面材３どうしの継目としては、横方向に隣り合う下側耐火面材３によって形成される継目Ｔ１と、縦方向に隣り合う下側耐火面材３によって形成される継目Ｔ２とがあるが、継目Ｔ１、Ｔ２の何れにも目地処理材を取付けることとしても良いし、どちらか一方にのみ取付けることとしても構わない。
また、耐火性を有する目地処理材として、ガラス繊維テープ５を例示したが、これに限るものではなく、耐火性を有し、且つ継目を覆う材料であればよく、例えば、セラミック材料や耐火金属などを用いても良い。
【図面の簡単な説明】
【００３８】
【図１】本発明に係る間仕切壁１の耐火構造の断面図である。
【図２】間仕切壁１の概略構成図である
【図３】間仕切壁１の耐火構造の正面図である。
【図４】間仕切壁１の耐火構造の正面図である。
【図５】間仕切壁１の耐火構造の正面図である。
【図６】間仕切壁１の耐火構造の概略構成図である。
【図７】図１に示した間仕切壁１の耐火構造の、他の固定手段における断面図である。
【符号の説明】
【００３９】
１      間仕切壁
２      間仕切りパネル
３      下側耐火面材
４      上側耐火面材
５      ガラス繊維テープ
７      ステープル
３０    取付面
Ｔ１、Ｔ２、Ｔ３  継目
【図１】
2006161405.tif 000003
【図２】
2006161405.tif 000004
【図３】
2006161405.tif 000005
【図４】
2006161405.tif 000006
【図５】
2006161405.tif 000007
【図６】
2006161405.tif 000008
【図７】
2006161405.tif 000009